(57)【要約】【課題】転写体の温度を適正に制御し、高品位な画像を記録することができるインクジェット記録装置を提供することである。【解決手段】記録ヘッドからインクを転写体に吐出して画像を形成し、前記画像を前記転写体から記録媒体に転写するインクジェット記録装置において、以下のような制御を実行する。即ち、前記画像が前記記録媒体に転写された後の前記転写体を冷却し、その冷却された前記転写体の温度を測定し、その測定された温度に基づいて、前記冷却における冷却能力を制御する。【選択図】  図８
2018144357.tif 000002
【特許請求の範囲】
【請求項１】
記録ヘッドからインクを転写体に吐出して画像を形成し、前記画像を前記転写体から記録媒体に転写するインクジェット記録装置であって、
前記画像が前記記録媒体に転写された後の前記転写体を冷却する冷却手段と、
前記冷却手段により冷却された前記転写体の温度を測定する第１の測定手段と、
前記第１の測定手段により測定された温度に基づいて、前記冷却手段による冷却能力を制御する制御手段と、を有することを特徴とするインクジェット記録装置。
【請求項２】
前記画像が形成された前記転写体を加熱する加熱手段と、
前記加熱手段により加熱された前記転写体の温度を測定する第２の測定手段とをさらに有し、
前記制御手段はさらに、前記第２の測定手段により測定された温度に基づいて、前記加熱手段による加熱能力を制御することを特徴とする請求項１に記載のインクジェット記録装置。
【請求項３】
前記冷却手段は、
第１の液体を前記転写体に付与することにより、前記転写体を冷却する第１の冷却手段と、
ブローされるエアにより前記転写体を冷却する第２の冷却手段と、
前記第１の液体とは異なる第２の液体を前記転写体に付与することにより、前記転写体を冷却する第３の冷却手段とを含み、
前記転写体の冷却は、前記第１の冷却手段、前記第２の冷却手段、第３の冷却手段の順によりなされることを特徴とする請求項２に記載のインクジェット記録装置。
【請求項４】
前記第１の冷却手段は、
前記第１の液体を収容する第１の収容部と、
前記第１の収容部に収容された前記第１の液体を冷却する第１の冷却機構と、
前記第１の収容部に収容された前記第１の液体の温度を測定する第３の測定手段と、を含み、
前記第３の冷却手段は、
前記第２の液体を収容する第２の収容部と、
前記第２の収容部に収容された前記第２の液体を冷却する第２の冷却機構と、
前記第２の収容部に収容された前記第２の液体の温度を測定する第４の測定手段と、を含み、
前記制御手段はさらに、前記第３の測定手段により測定された温度に基づいて前記第１の冷却機構の設定温度を設定し、前記第４の測定手段により測定された温度に基づいて前記第２の冷却機構の設定温度を設定するよう制御することを特徴とする請求項３に記載のインクジェット記録装置。
【請求項５】
前記第１の液体は、前記画像が前記記録媒体に転写された後の前記転写体の表面を清掃するために用いられる清掃液であり、
前記第２の液体は、前記転写体に前記記録ヘッドにより画像が形成される前に付与され、前記記録ヘッドから吐出されるインクと反応する反応液であることを特徴とする請求項３又は４に記載のインクジェット記録装置。
【請求項６】
前記第２の冷却手段は、エアをブローするファンを含み、
前記制御手段はさらに、前記第１の測定手段により測定された温度に基づいて、前記ファンによるエアブロー量を制御することを特徴とする請求項３乃至５のいずれか１項に記載のインクジェット記録装置。
【請求項７】
前記加熱手段は、ヒータを含み、
前記制御手段は、前記ヒータをＰＷＭ制御により加熱し、前記ＰＷＭ制御のデューティを変更することで前記加熱手段の前記加熱能力を制御することを特徴とする請求項２乃至６のいずれか１項に記載のインクジェット記録装置。
【請求項８】
前記転写体は予め定められた回転軸の周りに回転する回転体であり、該回転によって前記転写体の表面は円軌道上を循環的に移動する構成となっており、
前記円軌道に沿い、前記転写体の周囲に前記転写体の回転方向に、前記記録ヘッド、前記加熱手段、前記第２の測定手段、前記冷却手段、前記第１の測定手段が順に配置されることを特徴とする請求項２乃至７のいずれか１項に記載のインクジェット記録装置。
【請求項９】
前記転写体の周囲に、前記記録ヘッドと前記加熱手段との間に、前記記録ヘッドから吐出されたインクにより前記転写体に形成された画像に含まれる液体成分を、前記転写体に多孔質体を接触させることにより、吸収する吸収手段と、
前記転写体の周囲に、前記第２の測定手段と前記冷却手段との間に、前記画像を前記転写体から前記記録媒体に転写する転写手段とをさらに設けることを特徴とする請求項８に記載のインクジェット記録装置。
【請求項１０】
前記インクは、色材としての顔料と、樹脂と、前記液体成分とを含有することを特徴とする請求項９に記載のインクジェット記録装置。
【請求項１１】
前記制御手段は、前記転写体が前記記録ヘッドに対向する第１の位置では、前記転写体の温度が第１の温度範囲になるよう、そして、前記転写体が前記転写手段に対向する第２の位置では、前記転写体の温度が第２の温度範囲になるよう前記冷却手段の冷却能力と前記加熱手段の加熱能力を制御することを特徴とする請求項９又は１０に記載のインクジェット記録装置。
【請求項１２】
前記制御手段は、前記冷却手段の冷却能力と前記加熱手段の加熱能力を制御しても前記第１の位置における前記転写体の温度が前記第１の温度範囲外となっているか、又は、前記第２の位置における前記転写体の温度が前記第２の温度範囲外となっている場合、記録動作を停止するよう制御することを特徴とする請求項１１に記載のインクジェット記録装置。
【請求項１３】
記録ヘッドからインクを転写体に吐出して画像を形成し、前記画像を前記転写体から記録媒体に転写するインクジェット記録装置における温度制御方法であって、
前記画像が前記記録媒体に転写された後の前記転写体を冷却する冷却工程と、
前記冷却工程において冷却された前記転写体の温度を測定する測定工程と、
前記測定工程において測定された温度に基づいて、前記冷却工程における冷却能力を制御する制御工程と、を有することを特徴とする温度制御方法。
【発明の詳細な説明】
【技術分野】
【０００１】
本発明はインクジェット記録装置及びその温度制御方法に関し、特に、例えば、インクを中間転写体に吐出して形成した画像を記録媒体に転写して記録するインクジェット記録装置及びその温度制御方法に関する。
【背景技術】
【０００２】
従来より、インクジェット方式に従って記録を行う記録装置において、記録ヘッドよりインクを中間ドラムに吐出し、その中間ドラムに画像を形成し、その画像を記録媒体に転写して画像を記録する構成の記録装置がある。例えば、特許文献１には、中間ドラムのような中間転写体（単に転写体ともいう）の周囲にインクジェット記録ヘッドを用いた画像形成部やインク除去部や転写処理部などを備える構成が開示されている。
【０００３】
また、特許文献２にも中間転写体に記録ヘッドからインクを吐出して画像を形成し、その形成画像をその中間転写体から記録紙に転写する構成のインクジェット記録装置が開示されている。特許文献２によれば、記録ヘッドから吐出された高温のインクがローラに捲回されたリング状の中間転写体で冷却されるが、中間転写体と吐出されたインクがヒータにより再び加熱され、液状のインクが記録紙に転写される。
【０００４】
また、インクジェット記録ヘッドにより中間転写体にインクを吐出して画像を形成する過程とその形成画像を中間転写体から記録媒体に転写する過程とを繰返する記録装置において、その中間転写体を低温する冷却手段と高温にする加熱手段とを備える。
【先行技術文献】
【特許文献】
【０００５】
【特許文献１】特開２００３−１８２０６４号公報
【特許文献２】特開平５−１４７２０９号公報
【発明の概要】
【発明が解決しようとする課題】
【０００６】
しかしながら上記従来例では、中間転写体の温度を制御する手段がないため、外乱（雰囲気温度、中間転写体の胴温度、インク潜熱、色味ばらつきなど）の影響に弱く、中間転写体の温度を適正に維持することができない。例えば、記録ヘッドにより画像が形成される前に中間転写体を冷却し、その温度を制御する手段がないため、画像形成が安定しないという問題がある。また、中間転写体に形成された画像を記録媒体に転写する前に、その中間転写体を加熱しても、その加熱温度を制御する手段がないため、転写が安定しないという問題がある。
【０００７】
本発明は上記課題に鑑みてなされたものであり、転写体の温度を適正に制御し、高品位な画像を記録することができるインクジェット記録装置及びその温度制御方法を提供することを目的としている。
【課題を解決するための手段】
【０００８】
上記目的を達成するために本発明のインクジェット記録装置は次のような構成を有する。
【０００９】
即ち、記録ヘッドからインクを転写体に吐出して画像を形成し、前記画像を前記転写体から記録媒体に転写するインクジェット記録装置であって、前記画像が前記記録媒体に転写された後の前記転写体を冷却する冷却手段と、前記冷却手段により冷却された前記転写体の温度を測定する第１の測定手段と、前記第１の測定手段により測定された温度に基づいて、前記冷却手段による冷却能力を制御する制御手段と、を有することを特徴とする。
【００１０】
また本発明を他の側面から見れば、記録ヘッドからインクを転写体に吐出して画像を形成し、前記画像を前記転写体から記録媒体に転写するインクジェット記録装置における温度制御方法であって、前記画像が前記記録媒体に転写された後の前記転写体を冷却する冷却工程と、前記冷却工程において冷却された前記転写体の温度を測定する測定工程と、前記測定工程において測定された温度に基づいて、前記冷却工程における冷却能力を制御する制御工程とを有することを特徴とする温度制御方法を備える。
【発明の効果】
【００１１】
本発明によれば、転写体の温度を適正に制御できるという効果がある。
【図面の簡単な説明】
【００１２】
【図１】本発明の代表的な実施形態である記録システムの概要図である。
【図２】記録ユニットの斜視図である。
【図３】図２の記録ユニットの変位態様の説明図である。
【図４】図１の記録システムの制御系のブロック図である。
【図５】図１の記録システムの制御系のブロック図である。
【図６】図１の記録システムの動作例の説明図である。
【図７】図１の記録システムの動作例の説明図である。
【図８】転写体の温度制御を実行するために転写体の周囲に設けられた構成要素を模式的に示す図である。
【図９】転写体の表面温度の時間変化を示す図である。
【図１０】４つの温度センサにより測定された温度に基づく転写体の温度制御を示すフローチャートである。
【発明を実施するための形態】
【００１３】
以下添付図面を参照して本発明の好適な実施形態について、さらに具体的かつ詳細に説明する。各図において、矢印ＸおよびＹは水平方向を示し、互いに直交する。矢印Ｚは上下方向を示す。
【００１４】
＜用語の説明＞
この明細書において、「記録」（「プリント」という場合もある）とは、文字、図形等有意の情報を形成する場合のみならず、有意無意を問わない。さらに人間が視覚で知覚し得るように顕在化したものであるか否かも問わず、広く記録媒体上に画像、模様、パターン等を形成する、または媒体の加工を行う場合も表すものとする。
【００１５】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００１６】
さらに、「インク」（「液体」と言う場合もある）とは、上記「記録（プリント）」の定義と同様広く解釈されるべきものである。従って、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。なお、インクの成分については、特に限定はないが、本実施形態では、色材である顔料、水、樹脂を含む水性顔料インクを用いる場合を想定する。
【００１７】
またさらに、「記録要素」とは、特にことわらない限り吐出口ないしこれに連通する液路およびインク吐出に利用されるエネルギーを発生する素子を総括して言うものとする。
【００１８】
またさらに、「ノズル」とは、特にことわらない限り吐出口ないしこれに連通する液路およびインク吐出に利用されるエネルギーを発生する素子を総括して言うものとする。
【００１９】
以下に用いる記録ヘッド用の素子基板（ヘッド基板）とは、シリコン半導体からなる単なる基体を指し示すものではなく、各素子や配線等が設けられた構成を差し示すものである。
【００２０】
さらに、基板上とは、単に素子基板の上を指し示すだけでなく、素子基板の表面、表面近傍の素子基板内部側をも示すものである。また、本発明でいう「作り込み（ｂｕｉｌｔ−ｉｎ）」とは、別体の各素子を単に基体表面上に別体として配置することを指し示している言葉ではなく、各素子を半導体回路の製造工程等によって素子板上に一体的に形成、製造することを示すものである。
【００２１】
＜記録システム＞
図１は本発明の一実施形態に係る記録システム１を概略的に示した正面図である。記録システム１は、転写体２を介して記録媒体Ｐにインク像を転写することで記録物Ｐ’を製造する、枚葉式のインクジェットプリンタである。記録システム１は、記録装置１Ａと、搬送装置１Ｂとを含む。本実施形態では、Ｘ方向、Ｙ方向、Ｚ方向が、それぞれ、記録システム１の幅方向（全長方向）、奥行き方向、高さ方向を示している。記録媒体ＰはＸ方向に搬送される。
【００２２】
＜記録装置＞
記録装置１Ａは、記録ユニット３、転写ユニット４および周辺ユニット５Ａ〜５Ｅ、および、供給ユニット６を含む。
【００２３】
＜記録ユニット＞
記録ユニット３は、複数の記録ヘッド３０と、キャリッジ３１とを含む。図１と図２を参照する。図２は記録ユニット３の斜視図である。記録ヘッド３０は、転写体（中間転写体）２に液体インクを吐出し、転写体２上に記録画像のインク像を形成する。
【００２４】
本実施形態の場合、各記録ヘッド３０は、Ｙ方向に延設されたフルラインヘッドであり、使用可能な最大サイズの記録媒体の画像記録領域の幅分をカバーする範囲にノズルが配列されている。記録ヘッド３０は、その下面に、ノズルが開口したインク吐出面を有しており、インク吐出面は、微小隙間（例えば数ｍｍ）を介して転写体２の表面と対向している。本実施形態の場合、転写体２は円軌道上を循環的に移動する構成であるため、複数の記録ヘッド３０は、放射状に配置されている。
【００２５】
各ノズルには吐出素子が設けられている。吐出素子は、例えば、ノズル内に圧力を発生させてノズル内のインクを吐出させる素子であり、公知のインクジェットプリンタのインクジェットヘッドの技術が適用可能である。吐出素子としては、例えば電気熱変換体によりインクに膜沸騰を生じさせ気泡を形成することでインクを吐出する素子、電気機械変換体（ピエゾ素子）によってインクを吐出する素子、静電気を利用してインクを吐出する素子等が挙げられる。高速で高密度の記録の観点からは電気熱変換体を利用した吐出素子を用いることができる。
【００２６】
本実施形態の場合、記録ヘッド３０は、９つ設けられている。各記録ヘッド３０は、互いに異なる種類のインクを吐出する。異なる種類のインクとは、例えば、色材が異なるインクであり、イエロインク、マゼンタインク、シアンインク、ブラックインク等のインクである。１つの記録ヘッド３０は１種類のインクを吐出するが、１つの記録ヘッド３０が複数種類のインクを吐出する構成であってもよい。このように複数の記録ヘッド３０を設けた場合、そのうちの一部が色材を含まないインク（例えばクリアインク）を吐出してもよい。
【００２７】
キャリッジ３１は、複数の記録ヘッド３０を支持する。各記録ヘッド３０は、インク吐出面側の端部がキャリッジ３１に固定されている。これにより、インク吐出面と転写体２との表面の隙間をより精密に維持することができる。キャリッジ３１は、案内部材ＲＬの案内によって、記録ヘッド３０を搭載しつつ変位可能に構成されている。本実施形態の場合、案内部材ＲＬは、Ｙ方向に延設されたレール部材であり、Ｘ方向に離間して一対設けられている。キャリッジ３１のＸ方向の各側部にはスライド部３２が設けられている。スライド部３２は案内部材ＲＬと係合し、案内部材ＲＬに沿ってＹ方向にスライドする。
【００２８】
図３は記録ユニット３の変位態様を示しており、記録システム１の右側面を模式的に示した図である。記録システム１の後部には回復ユニット１２が設けられている。回復ユニット１２は記録ヘッド３０の吐出性能を回復する機構を有する。そのような機構としては、例えば、記録ヘッド３０のインク吐出面をキャッピングするキャップ機構、インク吐出面をワイピングするワイパ機構、インク吐出面から記録ヘッド３０内のインクを負圧吸引する吸引機構を挙げることができる。
【００２９】
案内部材ＲＬは、転写体２の側方から回復ユニット１２に渡って延設されている。記録ユニット３は、案内部材ＲＬの案内により、実線で記録ユニット３を示した吐出位置ＰＯＳ１と、破線で記録ユニット３を示した回復位置ＰＯＳ３との間で変位可能であり、不図示の駆動機構により移動される。
【００３０】
吐出位置ＰＯＳ１は、記録ユニット３が転写体２にインクを吐出する位置であり、記録ヘッド３０のインク吐出面が転写体２の表面に対向する位置である。回復位置ＰＯＳ３は、吐出位置ＰＯＳ１から退避した位置であり、記録ユニット３が回復ユニット１２上に位置する位置である。回復ユニット１２は記録ユニット３が回復位置ＰＯＳ３に位置した場合に、記録ヘッド３０に対する回復処理を実行可能である。本実施形態の場合、記録ユニット３が回復位置ＰＯＳ３に到達する前の移動途中においても回復処理を実行可能である。吐出位置ＰＯＳ１と回復位置ＰＯＳ３の間には予備回復位置ＰＯＳ２があり、回復ユニット１２は記録ヘッド３０が吐出位置ＰＯＳ１から回復位置ＰＯＳ３へ移動中に、予備回復位置ＰＯＳ２において記録ヘッド３０に対する予備的な回復処理を実行可能である。
【００３１】
＜転写ユニット＞
図１を参照して転写ユニット４について説明する。転写ユニット４は、転写胴４１と圧胴４２とを含む。これらの胴は、Ｙ方向の回転軸周りに回転する回転体であり、円筒形状の外周面を有している。図１において、転写胴４１および圧胴４２の各図形内に示した矢印は、これらの回転方向を示しており、転写胴４１は時計回りに、圧胴４２は反時計回りに回転する。
【００３２】
転写胴４１は、その外周面に転写体２を支持する支持体である。転写体２は、転写胴４１の外周面上に、周方向に連続的にあるいは間欠的に設けられる。連続的に設けられる場合、転写体２は無端の帯状に形成される。間欠的に設けられる場合、転写体２は、有端の帯状に複数のセグメントに分けて形成され、各セグメントは転写胴４１の外周面に等ピッチで円弧状に配置することができる。
【００３３】
転写胴４１の回転により、転写体２は円軌道上を循環的に移動する。転写胴４１の回転位相により、転写体２の位置は、吐出前処理領域Ｒ１、吐出領域Ｒ２、吐出後処理領域Ｒ３およびＲ４、転写領域Ｒ５、転写後処理領域Ｒ６に区別することができる。転写体２はこれらの領域を循環的に通過する。
【００３４】
吐出前処理領域Ｒ１は、記録ユニット３によるインクの吐出前に転写体２に対する前処理を行う領域であり、周辺ユニット５Ａによる処理が行われる領域である。本実施形態の場合、反応液が付与される。吐出領域Ｒ２は記録ユニット３が転写体２にインクを吐出してインク像を形成する形成領域である。吐出後処理領域Ｒ３およびＲ４はインクの吐出後にインク像に対する処理を行う処理領域であり、吐出後処理領域Ｒ３は周辺ユニット５Ｂによる処理が行われる領域であり、吐出後処理領域Ｒ４は周辺ユニット５Ｃによる処理が行われる領域である。転写領域Ｒ５は転写ユニット４により転写体２上のインク像が記録媒体Ｐに転写される領域である。転写後処理領域Ｒ６は、転写後に転写体２に対する後処理を行う領域であり、周辺ユニット５Ｄによる処理が行われる領域である。
【００３５】
なお、吐出前処理領域Ｒ１と転写後処理領域Ｒ６の間には、周辺ユニット５Ｅが設けられ、周辺ユニット５Ｅからのエアブローにより転写体２の冷却が行われる。
【００３６】
本実施形態の場合、吐出領域Ｒ２は、一定の区間を有する領域である。他の領域Ｒ１、Ｒ３〜Ｒ６は、吐出領域Ｒ２に比べるとその区間は狭い。時計の文字盤に喩えると、本実施形態の場合、吐出前処理領域Ｒ１は概ね１０時の位置であり、吐出領域Ｒ２は概ね１１時から１時の範囲であり、吐出後処理領域Ｒ３は概ね２時の位置であり、吐出後処理領域Ｒ４は概ね４時の位置である。転写領域Ｒ５は概ね６時の位置であり、転写後処理領域Ｒ６は概ね８時の領域である。
【００３７】
転写体２は、単層から構成してもよいが、複数層の積層体としてもよい。複数層で構成する場合、例えば、表面層、弾性層、圧縮層の三層を含んでもよい。表面層はインク像が形成される画像形成面を有する最外層である。圧縮層を設けることで、圧縮層が変形を吸収し、局所的な圧力変動に対してその変動を分散し、高速記録時においても転写性を維持することができる。弾性層は表面層と圧縮層との間の層である。
【００３８】
表面層の材料としては、樹脂、セラミック等各種材料を適宜用いることができるが、耐久性等の点で圧縮弾性率の高い材料を用いることができる。具体的には、アクリル樹脂、アクリルシリコーン樹脂、フッ素含有樹脂、加水分解性有機ケイ素化合物を縮合して得られる縮合物等が挙げられる。表面層には、反応液の濡れ性、画像の転写性等を向上させるために、表面処理を施して用いてもよい。表面処理としては、フレーム処理、コロナ処理、プラズマ処理、研磨処理、粗化処理、活性エネルギー線照射処理、オゾン処理、界面活性剤処理、シランカップリング処理などが挙げられる。これらを複数組み合わせてもよい。また、表面層に任意の表面形状を設けることもできる。
【００３９】
圧縮層の材料としては、例えばアクリロニトリル−ブタジエンゴム、アクリルゴム、クロロプレンゴム、ウレタンゴム、シリコーンゴム等が挙げられる。このようなゴム材料の成形時には、所定量の加硫剤、加硫促進剤等を配合し、さらに発泡剤、中空微粒子或いは食塩等の充填剤を必要に応じて配合し、多孔質のゴム材料としてもよい。これにより、様々な圧力変動に対して気泡部分が体積変化を伴って圧縮されるため、圧縮方向以外への変形が小さく、より安定した転写性、耐久性を得ることができる。多孔質のゴム材料としては、各気孔が互いに連続した連続気孔構造のものと、各気孔がそれぞれ独立した独立気孔構造のものがあるが、いずれの構造であってもよく、これらの構造を併用してもよい。
【００４０】
弾性層の部材としては、樹脂、セラミック等、各種材料を適宜用いることができる。加工特性等の点で、各種エラストマー材料、ゴム材料を用いることができる。具体的には、例えばフルオロシリコーンゴム、フェニルシリコーンゴム、フッ素ゴム、クロロプレンゴム、ウレタンゴム、ニトリルゴム等が挙げられる。また、エチレンプロピレンゴム、天然ゴム、スチレンゴム、イソプレンゴム、ブタジエンゴム、エチレン／プロピレン／ブタジエンのコポリマー、ニトリルブタジエンゴム等が挙げられる。特に、シリコーンゴム、フルオロシリコーンゴム、フェニルシリコーンゴムは、圧縮永久ひずみが小さいため、寸法安定性、耐久性の面で有利である。また、温度による弾性率の変化が小さく、転写性の点でも有利である。
【００４１】
表面層と弾性層の間、弾性層と圧縮層の間には、これらを固定するために各種接着剤や両面テープを用いることもできる。また、転写体２は、転写胴４１に装着する際の横伸びの抑制や、コシを保つために圧縮弾性率が高い補強層を含んでもよい。また、織布を補強層としてもよい。転写体２は前記材質による各層を任意に組み合わせて作製することができる。
【００４２】
圧胴４２は、その外周面が転写体２に圧接される。圧胴４２の外周面には、記録媒体Ｐの先端部を保持するグリップ機構が少なくとも一つ設けられている。グリップ機構は圧胴４２の周方向に離間して複数設けてもよい。記録媒体Ｐは圧胴４２の外周面に密接して搬送されつつ、圧胴４２と転写体２とのニップ部を通過するときに、転写体２上のインク像が転写される。
【００４３】
転写胴４１と圧胴４２とを駆動するモータ等の駆動源は、これらに共通とし、歯車機構等の伝達機構により、駆動力を分配することができる。
【００４４】
＜周辺ユニット＞
周辺ユニット５Ａ〜５Ｅは転写胴４１の周囲に配置されている。本実施形態の場合、周辺ユニット５Ａ〜５Ｅは、順に、付与ユニット、吸収ユニット、加熱ユニット、清掃ユニット、冷却ユニットである。
【００４５】
付与ユニット５Ａは、記録ユニット３によるインクの吐出前に、転写体２上に反応液を付与する機構である。反応液は、インクを高粘度化する成分を含有する液体である。ここで、インクの高粘度化とは、インクを構成している色材や樹脂等がインクを高粘度化する成分と接触することによって化学的に反応し、あるいは物理的に吸着し、これによってインクの粘度の上昇が認められることである。このインクの高粘度化には、インク全体の粘度上昇が認められる場合のみならず、色材や樹脂等のインクを構成する成分の一部が凝集することにより局所的に粘度の上昇が生じる場合も含まれる。
【００４６】
インクを高粘度化する成分は、金属イオン、高分子凝集剤など、特に制限はないが、インクのｐＨ変化を引き起こして、インク中の色材を凝集させる物質を用いることができ、有機酸を用いることができる。反応液の付与機構としては、例えば、ローラ、記録ヘッド、ダイコーティング装置（ダイコータ）、ブレードコーティング装置（ブレードコータ）などが挙げられる。転写体２に対するインクの吐出前に反応液を転写体２に付与しておくと、転写体２に達したインクを直ちに定着させることができる。これにより、隣接するインク同士が混ざり合うブリーディングを抑制することができる。
【００４７】
吸収ユニット５Ｂは、転写前に、転写体２上のインク像から液体成分を吸収する機構である。インク像の液体成分を減少させることで、記録媒体Ｐに記録される画像のにじみ等を抑制することができる。液体成分の減少を異なる視点で説明すれば、転写体２上のインク像を構成するインクを濃縮すると表現することもできる。インクを濃縮するとは、インクに含まれる液体成分が減少することによって、インクに含まれる色材や樹脂といった固形分の液体成分に対する含有割合が増加することを意味する。
【００４８】
吸収ユニット５Ｂは、例えば、インク像に接触してインク像の液体成分の量を減少させる液吸収部材を含む。液吸収部材はローラの外周面に形成されてもよいし、液吸収部材が無端のシート状に形成され、循環的に走行されるものでもよい。インク像の保護の点で、液吸収部材の移動速度を転写体２の周速度と同じにして液吸収部材を転写体２と同期して移動させてもよい。
【００４９】
液吸収部材は、インク像に接触する多孔質体を含んでもよい。液吸収部材へのインク固形分付着を抑制するため、インク像に接触する面の多孔質体の孔径は、１０μｍ以下であってもよい。ここで、孔径とは平均直径のことを示し、公知の手段、例えば水銀圧入法や、窒素吸着法、ＳＥＭ画像観察等で測定可能である。なお、液体成分は、一定の形を有さず、流動性があり、ほぼ一定の体積を有するものであれば、特に限定されるものではない。例えば、インクや反応液に含まれる水や有機溶媒等が液体成分として挙げられる 。
【００５０】
加熱ユニット５Ｃは、転写前に、転写体２上のインク像を加熱する機構である。インク像を加熱することで、インク像中の樹脂が溶融し、記録媒体Ｐへの転写性を向上する。加熱温度は、樹脂の最低造膜温度（ＭＦＴ）以上とすることができる。ＭＦＴは一般的に知られている手法、例えばＪＩＳ  Ｋ  ６８２８−２：２００３や、ＩＳＯ２１１５：１９９６に準拠した各装置で測定することが可能である。転写性及び画像の堅牢性の観点から、ＭＦＴよりも１０℃以上高い温度で加熱してもよく、更に、２０℃以上高い温度で加熱してもよい。加熱ユニット５Ｃは、例えば、赤外線等の各種ランプ、温風ファン等、公知の加熱デバイスを用いることができる。加熱効率の点で、赤外線ヒータを用いることができる。
【００５１】
清掃ユニット５Ｄは、転写後に転写体２上を清掃する機構である。清掃ユニット５Ｄは、転写体２上に残留したインクや、転写体２上のごみ等を除去する。清掃ユニット５Ｄは、例えば、多孔質部材を転写体２に接触させる方式、ブラシで転写体２の表面を擦る方式、ブレードで転写体２の表面をかきとる方式等の公知の方式を適宜用いることができる。また、清掃に用いる清掃部材は、ローラ形状、ウェブ形状等、公知の形状を用いることができる。
【００５２】
冷却ユニット５Ｅは、清掃ユニット５Ｄにより清掃された転写体２をエアブローにより冷却する送風機構である。そのエアブロー量は後述するように、転写体２の周囲に設けられた複数の温度センサにより検出された温度によって制御される。これにより、冷却効果が制御される。
【００５３】
以上の通り、本実施形態では、付与ユニット５Ａ、吸収ユニット５Ｂ、加熱ユニット５Ｃ、清掃ユニット５Ｄ、冷却ユニット５Ｅを周辺ユニットとして備えるが、図１に示すような独立的なユニットを備えることにより本発明は限定されるものではない。例えば、付与ユニット５Ａ又は清掃ユニット５Ｄに転写体２の冷却ユニット５Ｅと同等の冷却機能を付与してもよい。本実施形態では、加熱ユニット５Ｃの熱により転写体２の温度が上昇する場合がある。記録ユニット３により転写体２にインクを吐出した後、インク像がインクの主溶剤である水の沸点を超えると、吸収ユニット５Ｂによる液体成分の吸収性能が低下する場合がある。吐出されたインクが水の沸点未満に維持されるように転写体２を冷却することで、液体成分の吸収性能を維持することができる。
【００５４】
なお、冷却ユニット５Ｅには、送風機構に加え、転写体２に部材（例えばローラ）を接触させ、この部材を送風機構により冷却する構成を備えてもよい。さらに、冷却ユニット５Ｅにより清掃ユニット５Ｄの清掃部材を冷却する機構を備えてもよい。冷却タイミングは、転写後、反応液の付与前までの期間であってもよい。
【００５５】
＜供給ユニット＞
供給ユニット６は、記録ユニット３の各記録ヘッド３０にインクを供給する機構である。供給ユニット６は記録システム１の後部側に設けられていてもよい。供給ユニット６は、インクの種類毎に、インクを貯留する貯留部ＴＫを備える。貯留部ＴＫは、メインタンクとサブタンクとによって構成されてもよい。各貯留部ＴＫと各記録ヘッド３０とは流路６ａで連通し、貯留部ＴＫから記録ヘッド３０へインクが供給される。流路６ａは、貯留部ＴＫと記録ヘッド３０との間でインクを循環させる流路であってもよく、供給ユニット６はインクを循環させるポンプ等を備えてもよい。流路６ａの途中または貯留部ＴＫには、インク中の気泡を脱気する脱気機構を設けてもよい。流路６ａの途中または貯留部ＴＫには、インクの液圧と大気圧との調整を行うバルブを設けてもよい。貯留部ＴＫ内のインク液面が、記録ヘッド３０のインク吐出面よりも低い位置となるように、貯留部ＴＫと記録ヘッド３０のＺ方向の高さが設計されてもよい。
【００５６】
＜搬送装置＞
搬送装置１Ｂは、記録媒体Ｐを転写ユニット４へ給送し、インク像が転写された記録物Ｐ’を転写ユニット４から排出する装置である。搬送装置１Ｂは、給送ユニット７、複数の搬送胴８、８ａ、二つのスプロケット８ｂ、チェーン８ｃおよび回収ユニット８ｄを含む。図１において、搬送装置１Ｂの各構成の図形の内側の矢印はその構成の回転方向を示し、外側の矢印は記録媒体Ｐまたは記録物Ｐ’の搬送経路を示している。記録媒体Ｐは給送ユニット７から転写ユニット４へ搬送され、記録物Ｐ’は転写ユニット４から回収ユニット８ｄへ搬送される。給送ユニット７側を搬送方向で上流側と呼び、回収ユニット８ｄ側を下流側と呼ぶ場合がある。
【００５７】
給送ユニット７は、複数の記録媒体Ｐが積載される積載部を含むと共に、積載部から一枚ずつ記録媒体Ｐを、最上流の搬送胴８に給送する給送機構を含む。各搬送胴８、８ａはＹ方向の回転軸周りに回転する回転体であり、円筒形状の外周面を有している。各搬送胴８、８ａの外周面には、記録媒体Ｐ（または記録物Ｐ’）の先端部を保持するグリップ機構が少なくとも一つ設けられている。各グリップ機構は、隣接する搬送胴間で記録媒体Ｐを受け渡されるように、その把持動作および解除動作が制御される。
【００５８】
二つの搬送胴８ａは、記録媒体Ｐの反転用の搬送胴である。記録媒体Ｐを両面記録する場合、表面への転写後に、圧胴４２から下流側に隣接する搬送胴８へ記録媒体Ｐを渡さずに、搬送胴８ａに渡す。記録媒体Ｐは、二つの搬送胴８ａを経由して表裏が反転され、圧胴４２の上流側の搬送胴８を経由して再び圧胴４２へ渡される。これにより、記録媒体Ｐの裏面が転写胴４１に面することになり、裏面にインク像が転写される。
【００５９】
チェーン８ｃは、二つのスプロケット８ｂ間に巻き回されている。二つのスプロケット８ｂの一方は駆動スプロケットであり他方は従動スプロケットである。駆動スプロケットの回転によりチェーン８ｃが循環的に走行する。チェーン８ｃには、その長手方向に離間して複数のグリップ機構が設けられている。グリップ機構は、記録物Ｐ’の端部を把持する。下流端に位置する搬送胴８からチェーン８ｃのグリップ機構に記録物Ｐ’が渡され、グリップ機構に把持された記録物Ｐ’はチェーン８ｃの走行により回収ユニット８ｄへ搬送され、把持が解除される。これにより記録物Ｐ’が回収ユニット８ｄ内に積載される。
【００６０】
＜後処理ユニット＞
搬送装置１Ｂには、後処理ユニット１０Ａ、１０Ｂが設けられている。後処理ユニット１０Ａ、１０Ｂは転写ユニット４よりも下流側に配置され、記録物Ｐ’に対して後処理を行う機構である。後処理ユニット１０Ａは、記録物Ｐ’の表面に対する処理を行い、後処理ユニット１０Ｂは、記録物Ｐ’の裏面に対する処理を行う。処理の内容としては、例えば、記録物Ｐ’の画像記録面に、画像の保護や艶出し等を目的としたコーティングを挙げることができる。コーティングの内容としては、例えば、液体の塗布、シートの溶着、ラミネート等を挙げることができる。
【００６１】
＜検査ユニット＞
搬送装置１Ｂには、検査ユニット９Ａ、９Ｂが設けられている。検査ユニット９Ａ、９Ｂは転写ユニット４よりも下流側に配置され、記録物Ｐ’の検査を行う機構である。
【００６２】
本実施形態の場合、検査ユニット９Ａは、記録物Ｐ’に記録された画像を撮影する撮影装置であり、例えば、ＣＣＤセンサやＣＭＯＳセンサ等の撮像素子を含む。検査ユニット９Ａは、連続的に行われる記録動作中に、記録画像を撮影する。検査ユニット９Ａが撮影した画像に基づいて、記録画像の色味などの経時変化を確認し、画像データあるいは記録データの補正の可否を判断することができる。本実施形態の場合、検査ユニット９Ａは、圧胴４２の外周面に撮像範囲が設定されており、転写直後の記録画像を部分的に撮影可能に配置されている。検査ユニット９Ａにより全ての記録画像の検査を行ってもよいし、所定数毎に検査を行ってもよい。
【００６３】
本実施形態の場合、検査ユニット９Ｂも、記録物Ｐ’に記録された画像を撮影する撮影装置であり、例えば、ＣＣＤセンサやＣＭＯＳセンサ等の撮像素子を含む。検査ユニット９Ｂは、テスト記録動作において記録画像を撮影する。検査ユニット９Ｂは、記録画像の全体を撮影し、検査ユニット９Ｂが撮影した画像に基づいて、記録データに関する各種の補正の基本設定を行うことができる。本実施形態の場合、チェーン８ｃで搬送される記録物Ｐ’を撮影する位置に配置されている。検査ユニット９Ｂにより記録画像を撮影する場合、チェーン８ｃの走行を一時的に停止して、その全体を撮影する。検査ユニット９Ｂは、記録物Ｐ’上を走査するスキャナであってもよい。
【００６４】
＜制御ユニット＞
次に、記録システム１の制御ユニットについて説明する。図４および図５は記録システム１の制御ユニット１３のブロック図である。制御ユニット１３は、上位装置（ＤＦＥ）ＨＣ２に通信可能に接続され、また、上位装置ＨＣ２はホスト装置ＨＣ１に通信可能に接続される。
【００６５】
ホスト装置ＨＣ１は、例えば、情報処理装置であるＰＣ(Personal Computer)であってもよいし、サーバ装置であってもよい。また、ホスト装置ＨＣ１と上位装置ＨＣ２間の通信方法については、有線／無線のいずれでもよく、特に限定するものではない。
【００６６】
ホスト装置ＨＣ１では、記録画像の元になる原稿データが生成、あるいは保存される。ここでの原稿データは、例えば、文書ファイルや画像ファイル等の電子ファイルの形式で生成される。この原稿データは、上位装置ＨＣ２へ送信され、上位装置ＨＣ２では、受信した原稿データを制御ユニット１３で利用可能なデータ形式（例えば、ＲＧＢで画像を表現するＲＧＢデータ）に変換する。変換後のデータは、画像データとして上位装置ＨＣ２から制御ユニット１３へ送信され、制御ユニット１３は受信した画像データに基づき、記録動作を開始する。
【００６７】
本実施形態の場合、制御ユニット１３は、メインコントローラ１３Ａと、エンジンコントローラ１３Ｂとに大別される。メインコントローラ１３Ａは、処理部１３１、記憶部１３２、操作部１３３、画像処理部１３４、通信Ｉ／Ｆ（インタフェース）１３５、バッファ１３６および通信Ｉ／Ｆ１３７を含む。
【００６８】
処理部１３１は、ＣＰＵ等のプロセッサであり、記憶部１３２に記憶されたプログラムを実行し、メインコントローラ１３Ａ全体の制御を行う。記憶部１３２は、ＲＡＭ、ＲＯＭ、ハードディスク、ＳＳＤ等の記憶デバイスであり、ＣＰＵ１３１が実行するプログラムや、データを格納し、また、ＣＰＵ１３１にワークエリアを提供する。記憶部１３２のほか、外付けの記憶部が更に設けられていてもよい。操作部１３３は、例えば、タッチパネル、キーボード、マウス等の入力デバイスであり、ユーザの指示を受け付ける。操作部１３３は、例えば、入力部と表示部が一体となった構成であってもよい。なお、ユーザ操作は、操作部１３３を介した入力に限定するものではなく、例えば、ホスト装置ＨＣ１や上位装置ＨＣ２から指示を受け付けるような構成であってもよい。
【００６９】
画像処理部１３４は例えば画像処理プロセッサを有する電子回路である。バッファ１３６は、例えば、ＲＡＭ、ハードディスクやＳＳＤである。通信Ｉ／Ｆ１３５は上位装置ＨＣ２との通信を行い、通信Ｉ／Ｆ１３７はエンジンコントローラ１３Ｂとの通信を行う。図４において破線矢印は、画像データの処理の流れを例示している。上位装置ＨＣ２から通信ＩＦ１３５を介して受信された画像データは、バッファ１３６に蓄積される。画像処理部１３４はバッファ１３６から画像データを読み出し、読み出した画像データに所定の画像処理を施して、再びバッファ１３６に格納する。バッファ１３６に格納された画像処理後の画像データは、プリントエンジンが用いる記録データとして、通信Ｉ／Ｆ１３７からエンジンコントローラ１３Ｂへ送信される。
【００７０】
図５に示すように、エンジンコントローラ１３Ｂは、制御部１４、１５Ａ〜１５Ｅを含み、記録システム１が備えるセンサ群およびアクチュエータ群１６の検知結果の取得および駆動制御を行う。これらの各制御部は、ＣＰＵ等のプロセッサ、ＲＡＭやＲＯＭ等の記憶デバイス、外部デバイスとのインタフェースを含む。なお、制御部の区分けは一例であり、一部の制御を更に細分化した複数の制御部で実行してもよいし、逆に、複数の制御部を統合して、それらの制御内容を一つの制御部で行うように構成してもよい。
【００７１】
エンジン制御部１４は、エンジンコントローラ１３Ｂの全体の制御を行う。記録制御部１５Ａは、メインコントローラ１３Ａから受信した記録データをラスタデータ等、記録ヘッド３０の駆動に適したデータ形式に変換する。記録制御部１５Ａは、各記録ヘッド３０の吐出制御を行う。
【００７２】
転写制御部１５Ｂは、付与ユニット５Ａの制御、吸収ユニット５Ｂの制御、加熱ユニット５Ｃの制御、清掃ユニット５Ｄの制御、及び冷却ユニット５Ｅの制御を行う。
【００７３】
信頼性制御部１５Ｃは、供給ユニット６の制御、回復ユニット１２の制御、および記録ユニット３を吐出位置ＰＯＳ１と回復位置ＰＯＳ３との間で移動させる駆動機構の制御を行う。
【００７４】
搬送制御部１５Ｄは、転写ユニット４の駆動制御や、搬送装置１Ｂの制御を行う。検査制御部１５Ｅは、検査ユニット９Ｂの制御、および検査ユニット９Ａの制御を行う。
【００７５】
センサ群およびアクチュエータ群１６のうち、センサ群には、可動部の位置や速度を検知するセンサ、温度を検知するセンサ、撮像素子等が含まれる。アクチュエータ群にはモータ、電磁ソレノイド、電磁バルブ等が含まれる。
【００７６】
＜動作例＞
図６は記録動作の例を模式的に示す図である。転写胴４１および圧胴４２が回転されつつ、以下の各工程が循環的に行われる。状態ＳＴ１に示すように、始めに転写体２上に付与ユニット５Ａから反応液Ｌが付与される。転写体２上の反応液Ｌが付与された部位は転写胴４１の回転に伴って移動していく。反応液Ｌが付与された部位が記録ヘッド３０の下に到達すると、状態ＳＴ２に示すように記録ヘッド３０から転写体２にインクが吐出される。これによりインク像ＩＭが形成される。その際、吐出されるインクが転写体２上の反応液Ｌと混ざりあうことで、色材の凝集が促進される。吐出されるインクは、供給ユニット６の貯留部ＴＫから記録ヘッド３０に供給される。
【００７７】
転写体２上のインク像ＩＭは転写体２の回転に伴って移動していく。インク像ＩＭが吸収ユニット５Ｂに到達すると状態ＳＴ３に示すように吸収ユニット５Ｂによりインク像ＩＭから液体成分が吸収される。インク像ＩＭが加熱ユニット５Ｃに到達すると状態ＳＴ４に示すように加熱ユニット５Ｃによりインク像ＩＭが加熱され、インク像ＩＭ中の樹脂が溶融し、インク像ＩＭが造膜される。このようなインク像ＩＭの形成に同期して、搬送装置１Ｂにより記録媒体Ｐが搬送される。
【００７８】
状態ＳＴ５に示すように、インク像ＩＭと記録媒体Ｐとが転写体２と圧胴４２とのニップ部に到達し、記録媒体Ｐにインク像ＩＭが転写され、記録物Ｐ’が製造される。ニップ部を通過すると、記録物Ｐ’に記録された画像が検査ユニット９Ａにより撮影され、記録画像が検査される。記録物Ｐ’は搬送装置１Ｂにより回収ユニット８ｄへ搬送される。
【００７９】
転写体２上のインク像ＩＭが形成されていた部分は、清掃ユニット５Ｄに到達すると状態ＳＴ６に示すように清掃ユニット５Ｄにより清掃される。清掃後、転写体２は一回転したことになり、同様の手順で記録媒体Ｐへのインク像の転写が繰り返し行われる。なお、転写体２の状態が、状態ＳＴ６から状態ＳＴ１に戻る前に、冷却ユニット５Ｅにより転写体２の表面が十分に冷却される。上記の説明では理解を容易にするために、転写体２の一回転で一枚の記録媒体Ｐへのインク像ＩＭの転写が一回行われるように説明したが、転写体２の一回転で複数枚の記録媒体Ｐへのインク像ＩＭの転写が連続的に行うことができる。
【００８０】
このような記録動作を継続していくと各記録ヘッド３０のメンテナンスが必要となる。
【００８１】
図７は各記録ヘッド３０のメンテナンスの際の動作例を示している。状態ＳＴ１１は、吐出位置ＰＯＳ１に記録ユニット３が位置している状態を示す。状態ＳＴ１２は、記録ユニット３が予備回復位置ＰＯＳ２を通過している状態を示し、通過中に回復ユニット１２により記録ユニット３の各記録ヘッド３０の吐出性能を回復する処理が実行される。その後、状態ＳＴ１３に示すように、記録ユニット３が回復位置ＰＯＳ３に位置した状態で、回復ユニット１２により各記録ヘッド３０の吐出性能を回復する処理が実行される。
【００８２】
次に以上のような構成の記録システムにおいて、転写体２の温度を効果的に冷却、加熱し、転写体２の温度を適正に維持する制御について説明する。
【００８３】
＜転写体の温度制御＞
図８は、転写体の温度制御を実行するために転写体の周囲に設けられた構成要素を模式的に示す図である。なお、図８において、図１で示した記録システムの種々の構成要素のうち、転写体の温度制御と直接的に関係しない部分については図示していない。また、図８において、既に図１を参照して説明した構成要素については同じ参照番号を付し、その説明は繰り返さない。
【００８４】
図８に示されるように、転写体２の回転方向に関して、付与ユニット５Ａの下流側に温度センサ１１１が設けられ、加熱ユニット５Ｃの下流側に温度センサ１１２が設けられている。このように、２つの温度センサを配置することにより、清掃ユニット５Ｄと冷却ユニット５Ｅと付与ユニット５Ａにより冷却された転写体２の温度が検出され、加熱ユニット５Ｃにより加熱された転写体２の温度が検出される。温度センサ１１１、１１２は転写体２の表面より放射される赤外線を検知することにより、転写体２の温度を検出する非接触式センサである。
【００８５】
このような構成により、転写体２の温度は記録ユニット３の直下では、Ｔ1〜Ｔ2℃に保持される。一方、画像が転写される転写胴４１と圧胴４２とのニップ部では、Ｔ3〜Ｔ4℃に保持される。
【００８６】
付与ユニット５Ａは、転写体２に付与する反応液Ｌを収容する反応液収容部１０３ａと、反応液収容部１０３ａに収容された反応液Ｌを取り出すローラ１０３ｂと、ローラ１０３ｂに含浸された反応液Ｌを転写体２に付与するローラ１０３ｃとを含む。反応液収容部１０３ａは反応液Ｌを一定の温度以下に冷却して保持する冷却機構を備える。反応液収容部１０３ａには反応液Ｌの温度を測定する温度センサ１１３が備えられる。
【００８７】
また、清掃ユニット５Ｄは、転写体２を清掃するために用いる清掃液（ＣＬ液）を収容するＣＬ液収容部１０９ａと、そこに含まれたＣＬ液を転写体２に付与するローラ１０９ｂとを含む。ＣＬ液収容部１０９ａは、ＣＬ液を一定の温度以下に冷却して保持する冷却機構を備える。ＣＬ液収容部１０９ａにはＣＬ液の温度を測定する温度センサ１１４が備えられる。
【００８８】
以上の構成から分かるように、付与ユニット５Ａによる反応液Ｌの付与と、清掃ユニット５ＤによるＣＬ液の付与とにより、転写体２はある程度、冷却される。従って、付与ユニット５Ａと清掃ユニット５Ｄとは液冷の冷却機能を備えていると言える。なお、温度センサ１１３と温度センサ１１４は本実施の構成のように液収容部に備えられても良いし、図示しない液体供給流路内、または液体冷却循環流路内に備えられるものでも良い。
【００８９】
これに加えて、上述のように、付与ユニット５Ａと清掃ユニット５Ｄとの間には、冷却ユニット５Ｅが設けられている。冷却ユニット５Ｅは、転写体２にエアを送風するファンとその送風量を制御する制御ブースティングとを備えている。このように、この実施形態における冷却ユニット５Ｅは空冷の冷却機能を備えていると言える。
【００９０】
以上説明したように、この実施形態における記録システムでは、転写体２の回転方向に関して、液冷、空冷、液冷の順序で転写体２の冷却を行う冷却機構を備えている。このような順序は転写体２に対する効率的な冷却効果を達成するために決められたものである。
【００９１】
また、以上の構成から分かるように、転写体２の温度制御は４つの温度センサにより検出された温度に基づいて行われる。
【００９２】
図９は、転写体の表面温度の時間変化を示す図である。
【００９３】
この実施形態の転写体２は４．５秒で一回転する回転速度で回転しながら、記録動作を行う。図９では、転写体２の表面のある一点が一回転中にどのように表面温度が変化するのかが示されている。図９には、転写体２が４回転して得られた各周目の温度プロファイルが図示されており、それぞれ１周目、２周目、３周目、４周目として示されている。各周は、転写体２の任意の点が付与ユニット５Ａと冷却ユニット５Ｅとの間にあるときに始まり、転写体２が１回転して、再びその点が付与ユニット５Ａと冷却ユニット５Ｅとの間に戻ってきたときに終了する。そのため、図９において、時間軸（横軸）の原点（０点）が各周の開始点であり、４．５秒（ｓｅｃ）がその周の終了点となる。
【００９４】
図９によれば、１周目では記録システムの暖気運転（暖気１）が行われ、２周目でも記録システムの暖気運転（暖気２）が行われ、そして、３〜４周目では記録システムの記録動作（記録１、記録２）が行われる。
【００９５】
図９に示されるように、その回転において、転写体２の任意の点は、付与ユニット５Ａ、記録ユニット３、加熱ユニット５Ｃ、転写ユニット４、清掃ユニット５Ｄ、冷却ユニット５Ｅが備えられた場所を通過する。そして、温度測定１では、温度センサ１１１により転写体２の温度が測定され、温度測定２では、温度センサ１１２により転写体２の温度が測定される。これらの測定温度が、加熱ユニット５Ｃによる転写体２の加熱動作、冷却ユニット５Ｅによる転写体２の冷却動作の制御にフィードバックされる。また、冷却制御には、温度センサ１１３により測定される反応液Ｌの温度と、温度センサ１１４により測定されるＣＬ液の温度と、一定の温度範囲内となるように冷却機構（チラー）の動作を制御することも含まれる。温度センサ１１１〜１１４により測定された温度による転写体２の温度制御の詳細については後述する。
【００９６】
図９から分かるように、各周で転写体２の温度プロファイルが異なる。しかしながら、その温度プロファイルによれば、付与ユニット５Ａによる反応液Ｌの付与により転写体２の温度は低下する。また、清掃ユニット５ＤによるＣＬ液の付与により転写体２の温度は低下する。さらに、冷却ユニット５Ｅによるエアブローによっても転写体２の温度は低下する。一方、加熱ユニット５Ｃによるヒータ加熱により転写体２の温度は上昇する。
【００９７】
この実施形態では、記録システムの暖気運転中に転写体２を１〜２回転中に４つの温度センサ１１１〜１１４により測定された温度に基づいて、転写体２の温度が所定の範囲内となるように温度制御の処理を実行する。暖気運転中に温度制御を実行するには次の理由による。即ち、吐出領域Ｒ２を転写体２が通過するとき、転写体２の温度がＴ1℃未満であるとインクが凝集不足になり、形成画像の品質が低下する。一方、転写体２の温度はＴ2℃を越えるとインクの水分が蒸発することにより樹脂成分が収縮しインク吐出により形成された画像が割れてしまう。また、転写領域Ｒ６を転写体２が通過する時、転写体２の温度はＴ3℃未満であると画像転写が良好でなくなり、Ｔ4℃を越えるとブランケット（転写体２）の耐久性が低下する。
【００９８】
従って、暖気運転中に転写体の温度制御処理を実行することで、吐出領域Ｒ２を転写体２が通過する時、転写体２の温度をＴ1〜Ｔ2℃に維持する。一方、転写領域Ｒ６を転写体２が通過する時には転写体２の温度をＴ3〜Ｔ4℃に維持するように制御する。このようにして、３〜４周目には記録ユニット３による吐出領域Ｒ２を転写体２が通過する時には、転写体２の温度はＴ1〜Ｔ2℃に維持される。また、転写ユニット４による転写領域Ｒ６を転写体２が通過する時には転写体２の温度はＴ3〜Ｔ4℃に維持される。
【００９９】
そして、記録動作中には、外乱（雰囲気温度、転写体の胴温度、インク潜熱、色味ばらつきなど）の影響を抑えて、良好な画像形成と画像転写を行うために、４つの温度センサにより測定された温度に基づいて転写体の温度を制御する。
【０１００】
図１０は４つの温度センサにより測定された温度に基づく転写体の温度制御を示すフローチャートである。
【０１０１】
図１０において、（ａ）は温度センサ１１１による測定温度に基づく冷却制御を示すフローチャート、（ｂ）は温度センサ１１２による測定温度に基づく加熱制御を示すフローチャートである。さらに、（ｃ）は、温度センサ１１３〜１１４による測定温度に基づく冷却制御を示すフローチャートである。
【０１０２】
図１０（ａ）によれば、記録動作中にステップＳ１１０では、転写体２の回転方向に関し付与ユニット５Ａの直ぐ下流で温度センサ１１１により転写体２の温度を測定し、これを取得する。ステップＳ１２０では、その測定温度に基づいて、冷却ユニット５Ｅのエアブロー量を算出する。一般的には、エアブロー量が大きいほど冷却能力は大きくなるので、転写体２の温度が高いほど、エアブロー量が大きくなるように算出がなされる。
【０１０３】
さらに、ステップＳ１３０では、算出されたエアブロー量が現在のエアブロー量と比較して、変更が必要であれば算出されたエアブロー量に変更する。そして、ステップＳ１４０では、吐出領域Ｒ２を転写体２が通過する時の温度と、転写領域Ｒ６を転写体２が通過する時の温度が上述したような温度範囲となっているかどうかを調べる。ここで、そのような温度範囲となっているなら、記録動作を続行可能であると判断し処理はステップＳ１１０に戻り、その温度範囲外となっているなら記録動作を停止する。
【０１０４】
図１０（ｂ）によれば、記録動作中にステップＳ２１０では、転写体２の回転方向に関し加熱ユニット５Ｃの直ぐ下流で温度センサ１１２により転写体２の温度を測定し、これを取得する。ステップＳ１２０では、その測定温度に基づいて、加熱ユニット５Ｃのヒータデューティ（Ｄｕｔｙ）を算出する。一般的には、Ｄｕｔｙが大きいほど加熱能力は大きくなるので、転写体２の温度が低いほど、Ｄｕｔｙが大きくなるように算出がなされる。この実施形態は、加熱ユニット５Ｃに内蔵されたヒータをＰＷＭ制御して加熱する。従って、ＰＷＭのデューティを大きくすることでヒータの発熱量は大きくなる。
【０１０５】
さらに、ステップＳ２３０では、算出されたＤｕｔｙが現在のＤｕｔｙと比較して、変更が必要であれば算出されたＤｕｔｙに変更する。そして、ステップＳ２４０では、吐出領域Ｒ２を転写体２が通過する時の温度と、転写領域Ｒ６を転写体２が通過する時の温度が上述したような温度範囲となっているかどうかを調べる。ここで、そのような温度範囲となっているなら、記録動作を続行可能であると判断し処理はステップＳ２１０に戻り、その温度範囲外となっているなら記録動作を停止する。
【０１０６】
図１０（ｃ）によれば、記録動作中にステップＳ３１０では、温度センサ１１３〜１１４により反応液Ｌ、ＣＬ液の温度をそれぞれ測定し、これらを取得する。ステップＳ３２０では、それらの測定温度に基づいて、付与ユニット５Ａと清掃ユニット５Ｄそれぞれの冷却機構（チラー）の設定温度を算出する。一般的には、設定温度が低いほど冷却能力は大きくなるので、転写体２の温度が高いほど、設定温度が大きくなるように算出がなされる。
【０１０７】
さらに、ステップＳ３３０では、算出された設定温度が現在の設定温度と比較して、変更が必要であれば算出された設定温度に変更する。そして、ステップＳ３４０では、吐出領域Ｒ２を転写体２が通過する時の温度と、転写領域Ｒ６を転写体２が通過する時の温度が上述したような温度範囲となっているかどうかを調べる。ここで、そのような温度範囲となっているなら、記録動作を続行可能であると判断し処理はステップＳ３１０に戻り、その温度範囲外となっているなら記録動作を停止する。
【０１０８】
従って以上説明した実施形態に従えば、複数の温度センサにより測定された温度に基づいて冷却機構の冷却能力と加熱ユニットのヒータによる加熱能力とを制御して、転写体の温度が適正な範囲を維持することができる。
【０１０９】
＜他の実施形態＞
上記実施形態では、記録ユニット３が複数の記録ヘッド３０を有するが、一つの記録ヘッド３０を有してもよい。記録ヘッド３０はフルラインヘッドでなくてもよく、記録ヘッド３０をＹ方向に移動させながらインク像を形成するシリアル方式であってもよい。
【０１１０】
記録媒体Ｐの搬送機構は、ローラ対によって記録媒体Ｐを挟持して搬送する方式等、他の方式であってもよい。ローラ対によって記録媒体Ｐを搬送する方式等においては、記録媒体Ｐとしてロールシートを用いてもよく、転写後にロールシートをカットして記録物Ｐ’を製造してもよい。
【０１１１】
上記実施形態では、転写体２を転写胴４１の外周面に設けたが、転写体２を無端の帯状に形成し、循環的に走行させる方式等、他の方式であってもよい。
【０１１２】
また、本発明は上述の実施形態の１以上の機能を実現するプログラムをネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１１３】
２  転写体、３  記録ユニット、４  転写ユニット、５Ａ  付与ユニット、
５Ｂ  吸収ユニット、５Ｃ  加熱ユニット、５Ｄ  清掃ユニット、５Ｅ  冷却ユニット、
３０  記録ヘッド、４１  転写胴、４２  圧胴、１１１〜１１４  温度ユニット、
１０３ａ  反応液収容部、１０３ｂ〜１０３ｃ  ローラ、１０９ａ  清掃液収容部、
１０９ｂ  ローラ、Ｐ  記録媒体
【図１】
2018144357.tif 000003
【図２】
2018144357.tif 000004
【図３】
2018144357.tif 000005
【図４】
2018144357.tif 000006
【図５】
2018144357.tif 000007
【図６】
2018144357.tif 000008
【図７】
2018144357.tif 000009
【図８】
2018144357.tif 000010
【図９】
2018144357.tif 000011
【図１０】
2018144357.tif 000012